(57)【要約】      （修正有）【課題】段ボールを折曲げて組立てられる緩衝用クッションによって物品を保護する場合に、とくに物品の寸法が大きかったり異形であったりしても、特殊な形状のクッションを用いることなくしかも物品を緩衝しながら包装する。【解決手段】段ボールを折曲げて組立てられる保持枠９０の係合孔を利用してクッション８５〜８８をその外側に取付けるようにし、保持枠９０によって物品を包むようにして外装箱内に収納し、クッション８５〜８８が保持枠９０と外装箱との間に介在されるようにする。【選択図】  図９
2005001686.tif 000002
【特許請求の範囲】
【請求項１】
物品を保持する保持枠と、
前記保持枠の外側に結合される段ボール製のクッションと、
を具備し、物品が前記保持枠に保持された状態で外装箱内に収納されるとともに、前記保持枠と前記外装箱との間に前記クッションが介在されることを特徴とする包装用緩衝装置。
【請求項２】
段ボールに一方のライナのみが連結された半切線と間欠的に連結部で連結された切断線とを段目の方向と交差するようにほぼ段目の方向に交互に形成するとともに、前記切断線と前記半切線のところで交互に逆方向に折畳んで重合わせて前記クッションが組立てられることを特徴とする請求項１に記載の包装用緩衝装置。
【請求項３】
前記段目の方向とほぼ平行に分割線が形成され、折畳んで重合わされた後に前記分割線のところで複数個に分割してクッションとすることを特徴とする請求項２に記載の包装用緩衝装置。
【請求項４】
折畳まれると少なくとも内側に位置する部位に開口が形成され、該開口によってクッションの緩衝性を高めることを特徴とする請求項３に記載の包装用緩衝装置。
【請求項５】
前記クッションの前記保持枠を受ける受け面に突部を有し、該突部を前記保持枠の係合孔に係合させることを特徴とする請求項３に記載の包装用緩衝装置。
【請求項６】
前記突部がフック状をなすことを特徴とする請求項５に記載の包装用緩衝装置。
【請求項７】
前記分割線のところで分割すると、該分割面上にフック状の前記突部が形成されることを特徴とする請求項６に記載の包装用緩衝装置。
【請求項８】
前記保持枠の前記クッションの結合位置に係止片が形成され、該係止片が前記クッションの被係止部に係止されることを特徴とする請求項１に記載の包装用緩衝装置。
【請求項９】
前記クッションにほぼ直角に切欠かれた受け部が形成され、該受け部によって前記保持枠のコーナの部分を外側から受けることを特徴とする請求項１に記載の包装用緩衝装置。
【請求項１０】
前記保持枠の両側に取手が連設され、物品を受けた状態で前記取手によって前記保持枠を持上げ得るようにしたことを特徴とする請求項１に記載の包装用緩衝装置。
【発明の詳細な説明】
【０００１】
【発明の属する技術分野】
本発明は包装用緩衝装置に係り、とくに段ボールを折曲げて組立てられるクッションを用いた包装用緩衝装置に関する。
【０００２】
【従来の技術】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に従来より、発泡スチロール樹脂の緩衝体を配し、外部からの衝撃を上記緩衝体によって吸収し、これによって物品を衝撃から保護するようにしている（特許文献１、２参照）。また発泡スチロール樹脂から成る緩衝体に換えて段ボールを用いて緩衝体を組立てることも試みられている（特許文献３、４参照）。
【０００３】
【特許文献１】特開平６−７１４７４号公報（第６図）
【特許文献２】特開平３−１１４７７０号公報
【特許文献３】特開平８−２５５８号公報
【特許文献４】特開平８−３０１２７０号公報
【発明が解決しようとする課題】
従来の発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで段ボールを用いて緩衝体を組立てることによって環境上の問題が解消される。すなわち段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
ところが段ボールから成る緩衝体は、内容物の形状や重さ等が変わると、総ての緩衝部材の厚さや重さの変更を余儀無くされる場合があり、外圧に対して任意に設計できる段ボール製緩衝体が待望まれている。また段ボールから成る緩衝体は、任意の形状に形成することが困難である。すなわち発泡スチロール樹脂から成る緩衝体は、その発泡成形の際に用いる金型のキャビティの形状によって任意の緩衝体を得ることが可能になる。ところが段ボールから成る緩衝体は、平面状をなす段ボールを折畳んで組立てるために、複雑な形状に形成することができない。
【０００６】
従って複雑な形状の物品や大きな物品を梱包する際に、段ボールから成る緩衝体によって緩衝効果を得ることが難しいという問題がある。とくに物品が大きくてしかも複雑な形状をなす場合にこの傾向が強い。
【０００７】
本発明はこのような問題点に鑑みてなされたものであって、大きな形状の物品や複雑な形状の物品であっても、緩衝しながらしかも包装することを可能にした包装用緩衝装置を提供することを目的とする。
【０００８】
【課題を解決するための手段】
本願の主要な発明は、
物品を保持する保持枠と、
前記保持枠の外側に結合される段ボール製のクッションと、
を具備し、物品が前記保持枠に保持された状態で外装箱内に収納されるとともに、前記保持枠と前記外装箱との間に前記クッションが介在されることを特徴とする包装用緩衝装置に関するものである。
【０００９】
ここで段ボールに一方のライナのみが連結された半切線と間欠的に連結部で連結された切断線とを段目の方向と交差するようにほぼ段目の方向に交互に形成するとともに、前記切断線と前記半切線のところで交互に逆方向に折畳んで重合わせて前記クッションが組立てられることが好ましい。また前記段目の方向とほぼ平行に分割線が形成され、折畳んで重合わされた後に前記分割線のところで複数個に分割してクッションとすることが好ましい。また折畳まれると少なくとも内側に位置する部位に開口が形成され、該開口によってクッションの緩衝性を高めることが好ましい。また前記クッションの前記保持枠を受ける受け面に突部を有し、該突部を前記保持枠の係合孔に係合させることが好ましい。また前記突部がフック状をなすことが好ましい。また前記分割線のところで分割すると、該分割面上にフック状の前記突部が形成されることが好ましい。また前記保持枠の前記クッションの結合位置に係止片が形成され、該係止片が前記クッションの被係止部に係止されることが好ましい。また前記クッションにほぼ直角に切欠かれた受け部が形成され、該受け部によって前記保持枠のコーナの部分を外側から受けることが好ましい。また前記保持枠の両側に取手が連設され、物品を受けた状態で前記取手によって前記保持枠を持上げ得るようにしたことが好ましい。
【００１０】
【発明の実施の形態】
図１は本実施の形態の包装用緩衝装置の後述するクッションを組立てるための段ボール１０を示している。段ボール１０はその段目の方向に順次形成される８枚の板状部１１、１２、１３、１４、１５、１６、１７、１８を備えている。これら８枚の板状部１１〜１８は段目の方向に沿って交互に形成される切断線１９と半切線２０とを介して互いに区画される。
【００１１】
切断線１９は段ボール１０の厚さ方向に完全に切断したものであって、その長さ方向の複数の位置にそれぞれ連結片２２が形成されている。連結片２２は図２に示すように互いに左右対称な一対の切込み２３と、これらの切込み２３を連結する一対の折曲げ線２４とを備えるとともに、連結片２２の延長位置にはそれぞれ切込み２５が形成されている。
【００１２】
これに対して切断線１９と交互に形成される半切線２０はとくに図３に示すように、この段ボール１０の中芯２９に対してその両側のライナ３０の内の一方のライナ３０が連結されるとともに、中芯２９と他方のライナ３０とが切断された構造になっている。
【００１３】
このように板状部１１〜１８を切断線１９と半切線２０とによって連結した段ボール１０には、上記段ボール１０の段目の方向とほぼ平行に３本の分割線３３、４１、４９を備えている。これによって８枚の板状部１１〜１８をさらに４分割している。
【００１４】
板状部１１、１４、１５、１８のとくに分割線３３の左側の領域にはそれぞれ一対のＬ字状の開口３５が形成されている。これに対して分割線３３の左側の領域であって板状部１２、１３、１６、１７にはＬ字状の開口３５と矩形の開口３６とが形成される。また板状部１１〜１８の分割線３３の左側の領域にはそれぞれ２分割線３７が形成される。
【００１５】
次に板状部１１〜１８のとくに分割線３３、４１の間の領域について説明する。分割線３３、４１によって区画される領域であって板状部１１、１８には３角形の開口４２が形成され、板状部１４、１５には矩形の開口４３が形成され、板状部１２、１３、１６、１７には平行４辺形の開口４４が形成される。また分割線３３、４１に囲まれる領域であって板状部１１〜１８には円形の小孔４５と２分割線４６とが形成される。
【００１６】
次に板状部１１〜１８であってとくに分割線４１、４９間の領域について説明する。これらの領域においてはそれぞれの板状部１１〜１８に矩形の開口５０と円形の小孔５１と２分割線５２とが形成される。
【００１７】
次に板状部１１〜１８であってとくに分割線４９の左側の領域にはその板状部１１〜１８に矩形の開口５５と円形の小孔５６と２分割線５７とがそれぞれ形成される。
【００１８】
次に以上のような段ボール１０によってクッションを組立てる動作を説明する。図１に示す板状部１１〜１８の所定の位置に予め澱粉糊を塗布するとともに、このような段ボール１０を切断線１９および半切線２０の部位によって互いに逆方向にジクザグに図４に示すように折曲げる。そしてこの後板状部１１〜１８を互いに重合わせるとともに、澱粉糊によって接合させると、図５に示すように板状部１１〜１８を積層した矩形の直方体が組立てられる。なおこのときに一方の側面であって切断線１９が山折りされる部分には連結片２２が露出する。
【００１９】
このような組立て体は図６に示すように、段目の方向に沿って形成された３本の分割線３３、４１、４９のところでそれぞれ分割することができる。すなわち細長い直方体状をなす組立て体を４分割できるようになる。
【００２０】
さらにこの後に図７に示すように、４分割されたそれぞれの組立て体を２分割線３７、４６、５２、５７のところでそれぞれ分割する。これによって段ボールから成るクッション８５、８６、８７、８８がそれぞれ組立てられることになる。このようにクッシヨン８５〜８８によって緩衝効果を得るようにしている。とくに段ボール１０に予め形成されている開口３５、３６、４５、５０、５１、５６等によってこれらのクッション８５〜８８の緩衝性が高められる。
【００２１】
次に上記のようなクッション８５〜８８と組合わされる保持枠９０を組立てるための段ボール６０について図８により説明する。段ボール６０はそのほぼ中央部に底板６１を備えるとともに、その両側には折曲げ線６６を介して側板６２が連設される。そして側板６２の先端側の部分には取手板６３、６４が連続して形成される。また側板６２の背面側には一対の互いに平行な折曲げ線６９を介して折返し板７０が連設される。
【００２２】
上記段ボール６０の底板６１にはその折曲げ線６６の近傍であって両側にそれぞれ係合孔７３、７４が形成される。また底板６１の前端側の部分にはその右側に折曲げ片７７が形成されるとともに、この折曲げ片７７の根元側の部分に係合孔７８が形成される。また底板６１の前端であって左側の部分には折曲げ片７９が形成されるとともに、この折曲げ片７９の根元側の部分に係合孔８０が形成される。さらに折曲げ片７９の先端側には係止片８１が形成される。
【００２３】
次にこのような段ボール６０から成る保持枠９０の組立てと、この保持枠９０に対するクッション８５〜８８の結合について説明する。図９および図１０に示すように段ボール６０を底板６１を下側にして折曲げ線６６のところで両側の側板６２を直角に折曲げる。また側板６２の背面側の部分の折返し板７０を折曲げ線６９によって外側に折曲げる。
【００２４】
このようにして保持枠９０を組立てたならば、この保持枠９０の底板６１の係合孔７３を利用してクッション８６を結合する。図１１に示すようにクッション８６の直角をなす受け面によって保持枠９０の外側のコーナの部分を受けるとともに、分割線４６で分割するときにクッション８６の受け面に形成される突部９３を保持枠９０の底板６１の係合孔７３に係合させる。とくに突部９３がフック状をなしており、このフック状をなす突部９３が係合孔７３の一方のエッジに係合される。
【００２５】
次いで保持枠９０の底板６１の係合孔７４を利用して図１２に示すようにクッション８８を保持枠９０に結合する。分割線５７で分割するときにクッション８８の直角の受け面であってその上面に形成される突部９３を保持枠９０の底板６１の係合孔７４に係合させる。ここでも突部９３がフック状をなしているために、底板６１の係合孔７４のエッジに確実に係合される。また底板６１の前端側であって折曲げ片７７の係合孔７８を利用してクッション８５を保持枠９０に結合する。同様に保持枠９０の底板６１の前端側であって左側の折曲げ片７９の係合孔８０を利用してクッション８５を底板６１の前端側の部分に結合する。
【００２６】
このように保持枠９０の所定の位置にクッション８５、８６、８８をそれぞれ組立てたならば、この状態で図１３に示すように、保持枠９０内に物品９６を受入れる。そしてこの状態で取手板６３、６４の取手穴６５を利用して保持枠９０を外装箱９５内に収納する。そしてこの後に保持枠９０の上側であってとくに物品９６の上面に接する部位にクッション８７を装着する。このときに保持枠９０の側板６２の上端に形成される係止片８１がクッション８７のＬ字状の受け面の内側に形成される係止溝から成る被係止部によって係止される。
【００２７】
このような包装用緩衝装置の形態によれば、物品を緩衝するためのクッション８５〜８８は物品９６に直接接触するのではなく、保持枠９０の所定の位置にそれぞれ係合孔７３、７４、７８、８０を介して取付けられるとともに、このような保持枠９０内に物品９６を保持し、この状態で外装箱９５内に収納している。従って物品９６が大きな寸法を有したり、あるいはまた複雑な形状を有する場合においても、このような物品９６を比較的小さな寸法のクッション８５〜８８によって確実に保護することができる。また物品９６の形状が異形であっても、保持枠９０の形状をそれに対応させることによって、特殊な形態を有しないクッション８５〜８８によって確実に緩衝を行なうことができるようになる。
【００２８】
以上本願発明を図示の実施の形態によって説明したが、本願発明は上記実施の形態によって限定されることなく、本願に含まれる発明の技術的思想の範囲内で各種の変更が可能である。例えばクッション８５〜８８の具体的な形状や保持枠９０の具体的な形状は、収納して緩衝する物品の形態に応じて種々の変更が可能である。
【００２９】
【発明の効果】
本願の主要な発明は、物品を保持する保持枠と、保持枠の外側に結合される段ボール製のクッションと、を具備し、物品が保持枠に保持された状態で外装箱内に収納されるとともに、保持枠と外装箱との間にクッションが介在されるようにしたものである。
【００３０】
従ってこのような包装用緩衝装置によれば、物品が保持枠に保持された状態でしかも保持枠と外装箱との間に介在されるクッションによって外部からの衝撃を吸収できるようになる。従ってとくに大きな物品や複雑な形状の物品であっても、保持枠をこのような物品の寸法や形状に対応させることによって、特別な形状のクッションを用いることなくしかも上記物品をより完全に保護できるようになる。
【図面の簡単な説明】
【図１】クッションを組立てる段ボールの展開平面図である。
【図２】同クッションの切断線を間欠的に連結する連結部の構造を示す平面図である。
【図３】半切線の構造を示す要部拡大断面図である。
【図４】段ボールを交互に逆方向に折曲げる動作を示す外観斜視図である。
【図５】折曲げて板状部を重合わせたクッションの外観斜視図である。
【図６】４分割されたクッションの外観斜視図である。
【図７】８分割されたクッションの外観斜視図である。
【図８】保持枠を組立てる段ボールの展開平面図である。
【図９】保持枠に対するクッションの取付けを示す分解斜視図である。
【図１０】クッションが取付けられた保持枠の逆様の状態の外観斜視図である。
【図１１】クッションの取付けを示す要部拡大断面図である。
【図１２】別のクッションの取付けを示す要部拡大断面図である。
【図１３】物品の梱包状態を示す要部縦断面図である。
【符号の説明】
１０  段ボール
１１〜１８  板状部
１９  切断線
２０  半切線
２２  連結片
２３  切込み
２４  折曲げ線
２５  切込み
２９  中芯
３０  ライナ
３３  分割線
３５  Ｌ字状開口
３６  矩形の開口
３７  ２分割線
４１  分割線
４２  ３角形の開口
４３  矩形の開口
４４  平行４辺形の開口
４５  円形の小孔
４６  ２分割線
４９  分割線
５０  矩形の開口
５１  円形の小孔
５２  ２分割線
５５  矩形の開口
５６  円形の小孔
５７  ２分割線
６０  段ボール
６１  底板
６２  側板
６３、６４  取手板
６５  取手穴
６６  折曲げ線
６７  開口
６９  折曲げ線
７０  折返し板
７３、７４  係合孔
７７  折曲げ片
７８  係合孔
７９  折曲げ片
８０  係合孔
８１  係止片
８５〜８８  クッション
９０  保持枠
９３  突部
９５  外装箱
９６  物品
【図１】
2005001686.tif 000003
【図２】
2005001686.tif 000004
【図３】
2005001686.tif 000005
【図４】
2005001686.tif 000006
【図５】
2005001686.tif 000007
【図６】
2005001686.tif 000008
【図７】
2005001686.tif 000009
【図８】
2005001686.tif 000010
【図９】
2005001686.tif 000011
【図１０】
2005001686.tif 000012
【図１１】
2005001686.tif 000013
【図１２】
2005001686.tif 000014
【図１３】
2005001686.tif 000015